(57)【特許請求の範囲】
【請求項１】
カメラ本体に取り付け可能なレンズ鏡筒であって、
カメラ本体と機械的／電気的に接続するマウントと、
前記マウントに固定される固定枠と、
前記固定枠を外周側において覆う後枠と、
前記後枠を前記固定枠に固定するための固定部材と、
前記固定部材による固定を緩和した状態において、光軸に垂直な面内での前記後枠の位置を調整するための調整部と、
を備え、
前記後枠は、円筒部と、前記円筒部の光軸方向被写体側の前端と光軸方向撮像素子側の後端との少なく一方から径方向内側に延びるフランジ部とを有し、
前記フランジ部の径方向内側の端部の少なくとも一部が前記固定枠に当接する、
レンズ鏡筒。
【請求項２】
前記後枠は、前記円筒部の前記前端にのみ前記フランジ部を有する、
請求項１に記載のレンズ鏡筒。
【発明の詳細な説明】
【技術分野】
【０００１】
本開示は、内部にレンズを収容し、カメラ本体に取り付けられるレンズ鏡筒に関する。
【背景技術】
【０００２】
特許文献１には、内部にレンズを収容し、カメラ本体に取り付けられるレンズ鏡筒において、レンズ鏡筒におけるズームリングの後側の部分を外周側から覆う後枠（後カバー）を有するレンズ鏡筒が開示されている。
【先行技術文献】
【特許文献】
【０００３】
【特許文献１】特許第４５７４９７０号公報
【発明の概要】
【発明が解決しようとする課題】
【０００４】
ズームリングの操作の際、あるいはカメラ本体に取り付けるレンズ鏡筒を交換する際、カメラの使用者がレンズ鏡筒の外周を掴み、レンズ鏡筒に径方向内側向きの力が加わる。そして、後枠に径方向内側向きの力が加わると、後枠が変形する虞がある。
【０００５】
本開示は、後枠に径方向内側向きの力が加わった場合でも、後枠の変形を抑制可能なレンズ鏡筒を提供する。
【課題を解決するための手段】
【０００６】
本開示のレンズ鏡筒は、カメラ本体に取り付け可能なレンズ鏡筒である。レンズ鏡筒は、カメラ本体と機械的／電気的に接続するマウントと、マウントに固定される固定枠と、
固定枠を外周側において覆う後枠と、を備える。後枠は、円筒部と、円筒部の前端と後端との少なく一方から径方向内側に延びるフランジ部とを有し、フランジ部の径方向内側の端部の少なくとも一部が固定枠に当接する。
【発明の効果】
【０００７】
本開示のレンズ鏡筒では、後枠が円筒部の前端と後端との少なく一方から径方向内側に延びるフランジ部を有している。そのため、後枠の径方向の強度が向上する。さらに、フランジ部の径方向内側の端部の少なくとも一部が固定枠に当接する。したがって、後枠に径方向内側の力が加わった場合でも、後枠の変形が抑制される。
【図面の簡単な説明】
【０００８】
【図１】実施の形態１に係るレンズ鏡筒の斜視図である。
【図２】実施の形態１に係るレンズ鏡筒の分解斜視図である。
【図３Ａ】実施の形態１に係るレンズ鏡筒の断面図である。
【図３Ｂ】実施の形態１に係るレンズ鏡筒の断面図である。
【図３Ｃ】実施の形態１に係るレンズ鏡筒の断面図である。
【図４Ａ】実施の形態１に係るレンズ鏡筒のカム枠の展開図である。
【図４Ｂ】実施の形態１に係るレンズ鏡筒のカム枠の展開図である。
【図５Ａ】実施の形態１に係るレンズ鏡筒の斜視図である。
【図５Ｂ】実施の形態１に係るレンズ鏡筒の斜視図である。
【図５Ｃ】実施の形態１に係るレンズ鏡筒の斜視図である。
【図６Ａ】実施の形態１に係るレンズ鏡筒の後枠の斜視図である。
【図６Ｂ】実施の形態１に係るレンズ鏡筒の後枠の斜視図である。
【図７Ａ】実施の形態１に係るレンズ鏡筒の後枠カバーの斜視図である。
【図７Ｂ】実施の形態１に係るレンズ鏡筒の後枠カバーの斜視図である。
【図８Ａ】実施の形態１に係るレンズ鏡筒の後枠本体の斜視図である。
【図８Ｂ】実施の形態１に係るレンズ鏡筒の後枠本体の斜視図である。
【図９Ａ】実施の形態１に係るレンズ鏡筒の沈胴状態における断面図である。
【図９Ｂ】実施の形態１に係るレンズ鏡筒の沈胴状態における要部断面図である。
【図１０Ａ】実施の形態１に係るレンズ鏡筒の後端部の、レンズマウントを取り外した状態における斜視図である。
【図１０Ｂ】実施の形態１に係るレンズ鏡筒の後端部の、レンズマウントを取り外した状態における背面図である。
【図１１Ａ】実施の形態１に係るレンズ鏡筒の後端部の、レンズマウントおよび後枠固定用の固定ネジを取り外した状態における斜視図である。
【図１１Ｂ】実施の形態１に係るレンズ鏡筒の後端部の、レンズマウントおよび後枠固定用の固定ネジを取り外した状態における背面図である。
【図１２Ａ】実施の形態１に係るレンズ鏡筒の調整部部分の断面図である。
【図１２Ｂ】実施の形態１に係るレンズ鏡筒の調整部部分の断面図である。
【図１３Ａ】実施の形態１に係るレンズ鏡筒の調整ピンの正面図である。
【図１３Ｂ】実施の形態１に係るレンズ鏡筒の調整ピンの斜視図である。
【図１４】実施の形態１に係るレンズ鏡筒の固定枠ユニット及び後枠における調整ピンが嵌る部分を拡大して模式的に示した図である。
【図１５Ａ】実施の形態１に係るズーム枠、カム枠、連結ピン、及び基板の位置関係を示す側面図である。
【図１５Ｂ】実施の形態１に係るズーム枠、カム枠、連結ピン、及び基板の位置関係を示す斜視図である。
【図１６Ａ】実施の形態１に係るズーム枠とカム枠との位置関係示す背面図である。
【図１６Ｂ】実施の形態１に係る回路基板単品の外観を示す背面図である。
【図１７Ａ】実施の形態１に係るズーム枠、カム枠、連結ピン、及び基板の、沈胴状態における位置関係を示す斜視図である。
【図１７Ｂ】実施の形態１に係るズーム枠、カム枠、連結ピン、及び基板の、沈胴状態における位置関係を示す背面図である。
【図１８Ａ】実施の形態１に係るズーム枠、カム枠、連結ピン、及び基板の、ワイド状態における位置関係を示す斜視図である。
【図１８Ｂ】実施の形態１に係るズーム枠、カム枠、連結ピン、及び基板の、ワイド状態における位置関係を示す背面図である。
【図１９Ａ】実施の形態１に係るズーム枠、カム枠、連結ピン、及び基板の、テレ状態における位置関係を示す斜視図である。
【図１９Ｂ】実施の形態１に係るズーム枠、カム枠、連結ピン、及び基板の、テレ状態における位置関係を示す背面図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態１）
以下、図面を参照して実施の形態１を説明する。
【００１２】
［１．構成］
［１−１．概要］
図１は、実施の形態１に係るレンズ鏡筒の斜視図である。
【００１３】
レンズ鏡筒１は、光学系を構成する複数のレンズ群、及びこれらのレンズ群を収容する複数の枠体等により構成されている。レンズ鏡筒１は、一眼式のカメラ本体に着脱自在に取り付けられる交換式のレンズ鏡筒である。
【００１４】
以下の説明では、光軸方向に沿って被写体側を前側、撮像素子側を後側と称する場合がある。
【００１５】
図２は、実施の形態１に係るレンズ鏡筒１の分解斜視図である。
【００１６】
レンズ鏡筒１は、１群ユニット１００、２群ユニット２００、３〜５群ユニット３００、６群ユニット４００、カム枠５００、固定枠ユニット６００、ズーム枠７００、後枠８００、レンズマウント９００を備える。
【００１７】
１群ユニット１００は、第１レンズ群を保持する。１群ユニット１００は円筒状の形状を有する。１群ユニット１００は、固定枠ユニット６００に対して相対回転不能にかつ光軸方向に移動可能に、カム枠５００の外周に保持される。
【００１８】
２群ユニット２００は、第２レンズ群を保持する。２群ユニット２００は、１群ユニット１００の内部に収容される。２群ユニット２００は、固定枠ユニット６００に対して相
対回転不能にかつ光軸方向に移動可能に、カム枠５００の内周に保持される。
【００１９】
３〜５群ユニット３００は、第３レンズ群、第４レンズ群、及び第５レンズ群を保持する。３〜５群ユニット３００は、１群ユニット１００に収容される。３〜５群ユニット３００は、固定枠ユニット６００の固定枠６１０に対し、相対回転不能にかつ光軸方向に移動可能に保持される。
【００２０】
６群ユニット４００は第６レンズ群を保持する。６群ユニット４００は、固定枠ユニット６００の固定枠６１０に固定される。
【００２１】
カム枠５００は、内周面及び外周面にカム溝を有する。カム枠５００は、固定枠ユニット６００に収容される。カム枠５００は、固定枠６１０に対して相対回転可能にかつ光軸方向に移動不能に保持される。図２では、カム枠５００に、カム枠５００とズーム枠７００とを相対回転及び相対移動不能に連結する連結ピン７２０が装着された状態を示している。
【００２２】
固定枠ユニット６００は、固定枠６１０と、フォーカスリング６０１とを有する。固定枠６１０は、レンズマウント９００に固定されている。したがって、固定枠６１０は、光軸を中心とした回転や光軸方向への移動をしない。フォーカスリング６０１は、固定枠６１０の前端部に、固定枠６１０に対して相対回転可能に保持される。固定枠６１０の後端部には、回路基板９５０が取り付けられている。  ズーム枠７００は、固定枠６１０のフォーカスリング６０１の光軸方向後側で、かつ固定枠６１０の外周側において、固定枠６１０に対して相対回転可能に取り付けられる。ズーム枠７００の外周部には、ユーザがズーム枠７００を回転操作するためのズームリング７０１が一体形成されている。
【００２３】
後枠８００は、ズーム枠７００の光軸方向後側で、かつ固定枠６１０の外周側に配置される。後枠８００は、固定枠６１０におけるズーム枠７００とレンズマウント９００との間の部分を外周側において覆う。
【００２４】
レンズマウント９００は、レンズ鏡筒１とカメラ本体との間で信号の入出力を行うための接点を有する。
【００２５】
上記構成のレンズ鏡筒１において、ズーム枠７００が光軸を中心として回転されると、連結ピン７２０によりズーム枠７００に連結されたカム枠５００が、ズーム枠７００の回転に連動して回転する。カム枠５００が回転すると、カム枠５００の回転に連動して１群ユニット１００及び２群ユニット２００が光軸方向に移動する。このとき、１群ユニット１００及び２群ユニット２００は固定枠ユニット６００に対して相対回転しない。また、ズーム枠７００が回転されると、３〜５群ユニット３００が光軸方向に移動する。
【００２６】
図３Ａ〜図３Ｃは、実施の形態１に係るレンズ鏡筒１の断面図である。図３Ａは、レンズ鏡筒１が沈胴状態のときの断面を示す。図３Ｂは、レンズ鏡筒１がワイド状態（広角）のときの断面を示す。図３Ｃは、レンズ鏡筒１がテレ状態（望遠）のときの断面を示す。
【００２７】
図３Ａ、図３Ｂ、図３Ｃに示すように、１群ユニット１００は第１レンズ群Ｌ１を保持し、２群ユニット２００は第２レンズ群Ｌ２を保持し、３〜５群ユニット３００は第３レンズ群Ｌ３、第４レンズ群Ｌ４、及びは第５レンズ群Ｌ５を保持する。６群ユニット４００は第６レンズ群Ｌ６を保持する。
【００２８】
ズーム枠７００を回転させると、カム枠５００が連動して回転する。そして、カム枠５００が回転すると、図３Ａ、図３Ｂ、図３Ｃに示されるように、１群ユニット１００、２群ユニット２００、３〜５群ユニット３００が光軸方向に移動する。これにより、１群ユニット１００に保持された第１レンズ群Ｌ１、２群ユニット２００に保持された第２レンズ群Ｌ２、３〜５群ユニット３００に保持された第３レンズ群Ｌ３、第４レンズ群Ｌ４、および第５レンズ群Ｌ５が光軸方向に移動する。そして、第１レンズ群Ｌ１、第２レンズ群Ｌ２、第３レンズ群Ｌ３、第４レンズ群Ｌ４、第５レンズ群Ｌ５、第６レンズ群Ｌ６の位置関係に応じた焦点距離が実現される。
【００２９】
図４Ａ、図４Ｂは、実施の形態１に係るレンズ鏡筒１のカム枠５００の展開図である。具体的に、図４Ａは、カム枠５００の外周面の展開図である。図４Ｂは、カム枠５００の内周面の展開図である。
【００３０】
カム枠５００の内周面及び外周面には、カム溝５０１、５０２が形成されている。カム溝５０１は、１群ユニット１００の後端部に形成されたカムフォロアと係合する。カム溝５０２は、２群ユニット２００の後端部に形成されたカムフォロアと係合する。これにより、カム枠５００の回転に応じて、１群ユニット１００及び２群ユニット２００が光軸方向に移動する。
【００３１】
図５は、実施の形態１に係るレンズ鏡筒１の斜視図である。具体的に、図５Ａは、レンズ鏡筒１が沈胴状態のときの斜視図である。図５Ｂは、レンズ鏡筒１がワイド状態（広角）のときの斜視図である。図５Ｃは、レンズ鏡筒１がテレ状態（望遠）のときの斜視図である。
【００３２】
図５Ａに示すように、沈胴状態のとき、１群ユニット１００が光軸方向において最も後側に移動することにより、レンズ鏡筒１は、光軸方向における長さが最も短くなる。これに対し、ズームリング７０１を回転させて、図５Ｂに示すように、ワイド状態にすると、１群ユニット１００が沈胴状態のときよりも被写体側に移動することにより、レンズ鏡筒１は、光軸方向における長さが長くなる。また、ズームリング７０１を回転させて、図５Ｃに示すように、テレ状態にすると、１群ユニット１００が最も被写体側に移動することにより、レンズ鏡筒１は、光軸方向における長さが最も長くなる。
［１−２．後枠］
［１−２−１．後枠の構造］
実施の形態１に係るレンズ鏡筒１の後枠８００の構成を説明する。図６Ａ、図６Ｂは、実施の形態１に係るレンズ鏡筒１の後枠８００の斜視図である。図６Ａは、後枠８００を光軸方向被写体から見た斜視図である。図６Ｂは、後枠８００を光軸方向撮像素子側から見た斜視図である。
【００３３】
図６Ａ、図６Ｂに示すように、後枠８００は、後枠カバー８１０と後枠本体８２０とを有する。後枠本体８２０と後枠カバー８１０とは、例えば接着剤等により互いに固着されている。
【００３４】
図７Ａ、図７Ｂは、実施の形態１に係るレンズ鏡筒１の後枠８００の後枠カバー８１０の斜視図である。図７Ａは、後枠カバー８１０を光軸方向被写体側から見た斜視図である。図７Ｂは、後枠カバー８１０を光軸方向撮像素子側から見た斜視図である。
【００３５】
図７Ａ、図７Ｂに示すように、後枠カバー８１０は、円筒状の形状を有する円筒部８１１と、円筒部８１１の前端、すなわち円筒部８１１の光軸方向被写体側の端部に設けられたフランジ部８１２とを有する。フランジ部８１２は、円筒部８１１から径方向において光軸中心側へ延びる。フランジ部８１２は、周方向の全範囲に渡って形成されている。後枠カバー８１０は、アルミニウム等の金属により形成されている。
【００３６】
図８Ａ、図８Ｂは、実施の形態１に係るレンズ鏡筒１の後枠本体８２０の斜視図である。図８Ａは、後枠本体８２０を光軸方向被写体側から見た斜視図である。図８Ｂは、後枠本体８２０を光軸方向撮像素子側から見た斜視図である。
【００３７】
図８Ａ、図８Ｂに示すように、後枠本体８２０は、円筒状の形状を有する円筒部８２１と、円筒部８２１の前端（光軸方向被写体側の端部）及び後端（光軸方向撮像素子側の端部）に設けられたフランジ部８２２、８２３とを有する。フランジ部８２２、８２３は、円筒部８２１から径方向において光軸中心側へ延びる。フランジ部８２２、８２３は、周方向の一部の範囲において形成されている。後枠本体８２０は、樹脂により形成されている。
【００３８】
図９Ａ、図９Ｂは、実施の形態１に係るレンズ鏡筒１の沈胴状態における断面図である。図９Ａは、レンズ鏡筒１全体の断面図である。図９Ｂは、図９Ａの矢印９Ｂで示す部分の拡大断面図である。
【００３９】
図９Ａ、図９Ｂに示すように、後枠８００の後枠カバー８１０は、前述のように前端に全周にわたるフランジ部８１２を有することにより、光軸方向に平行な面による断面の形状が前端側においてＬ字状となっている。そして、フランジ部８１２の径方向内側の端部が、固定枠ユニット６００の固定枠６１０の外周面に当接している。また、後枠本体８２０のフランジ部８２２の径方向内側の端部が、固定枠ユニット６００の固定枠６１０の外周面に近接している。
【００４０】
従来、後枠の前端にフランジ部は設けられていなかった。そのため、後枠の前端側に径方向内側向きの力が加わった場合、後枠が径方向内側に凹む等の変形が生じる場合があった。例えば使用者がレンズ交換のために後枠をつかんだ際に変形が生じる場合があり、商品の品位の観点から改善が要望されていた。本実施の形態では、後枠８００の前端にフランジ部８１２を設け、かつフランジ部８１２の径方向内側の端部を固定枠ユニット６００の固定枠６１０の外周面に当接させたことにより、後枠８００の変形が抑制される。
【００４１】
なお、本実施の形態では、後述する図１０Ａ、図１０Ｂ、図１１Ａ、図１１Ｂに示すように、後枠本体８２０の後端のフランジ部８２３も固定枠６１０の後端部の外周面に当接させる。より具体的には、図８Ａに示すように、フランジ部８２３の径方向内側の縁は、固定枠６１０の後端部の円筒形状の外周面に対応する円弧形状を有しているが、フランジ部８２３の縁の一部に径方向内側に突出する微小な突起８２３ａを複数個設けている。そして、この突起８２３ａが固定枠６１０の後端部の外周面に当接するように構成している。これにより、後枠８００の後端側においても変形が抑制される。
［１−２−２．後枠の固定枠ユニットへの取付構造］
後枠８００を固定枠ユニット６００の固定枠６１０へ取り付ける構造について説明する。図１０Ａ、図１０Ｂは、実施の形態１に係るレンズ鏡筒１の後端部に設けたレンズマウント９００を取り外した状態におけるレンズ鏡筒１の外観を示している。図１０Ａは、レンズマウント９００を取り外した状態のレンズ鏡筒１の後端部を光軸方向後側から見た斜視図である。図１０Ｂは、レンズマウント９００を取り外した状態のレンズ鏡筒１の後端部を光軸方向後側から見た背面図である。
【００４２】
図１０Ａ、図１０Ｂに示すように、後枠８００は、複数の固定ネジ８３０により固定枠ユニット６００の固定枠６１０の後端部に固定される。
【００４３】
図１１Ａ、図１１Ｂは、図１０Ａ、図１１Ｂに示す状態からさらに後枠固定用の固定ネジ８３０を取り外した状態を示す図である。
【００４４】
図１１Ａ、図１１Ｂに示すように、後枠８００において固定ネジ８３０が挿通される貫通孔８２６は、周方向に長い長孔である。貫通孔８２６の周方向の長さは、固定ネジ８３０の雄ネジ部の直径より大きく、例えば雄ネジ部の直径に対して２倍や３倍の長さである。固定枠６１０の後端部には、固定ネジ８３０に対応する位置に孔部が形成されている。孔部は固定ネジ８３０に螺合可能な雌ネジが形成されていても構わないし、タップタイトの固定ネジ８３０を絞めてネジ形状が形成されるようにしても構わない。
【００４５】
貫通孔８２６は、前述の図８に示すように、後枠８００の後枠本体８２０の円筒部８２１の後端から径方向内側に突出して形成された取付部８２５に形成されている。取付部８２５は、後枠本体８２０の周方向の３ケ所に設けられている。
【００４６】
本実施の形態では、固定ネジ８３０による固定を緩和した状態において、光軸に垂直な面内での後枠８００の位置を調整するための調整部８５０が備えられている。図１２Ａ、図１２Ｂは、実施の形態１に係るレンズ鏡筒１の調整部８５０を示す断面図である。図１２Ａは、図１０Ａの１２Ａ−１２Ａ線による断面図であり、図１２Ｂは、図１０Ａの１２Ｂ−１２Ｂ線による断面図である。図１０Ａ、図１０Ｂ、図１１Ａ、図１１Ｂ、図１２Ａ、図１２Ｂに示すように、調整部８５０は、調整ピン８４０と、後枠８００の後枠本体８２０の取付部８２５（図８Ａ、図８Ｂ参照）うちの１つに形成された調整ピン挿通孔８３５と、固定枠６１０の後端部に形成された調整ピン嵌合孔６３０とを有する。
【００４７】
図１３Ａ、図１３Ｂは、実施の形態１に係るレンズ鏡筒１の調整ピン８４０を示す。図１３Ａは、調整ピン８４０を光軸方向の前側から見た正面図である。図１３Ｂは、調整ピン８４０を光軸方向の前側から見た斜視図である。
【００４８】
調整ピン８４０は、固定枠嵌合部８４１と、後枠嵌合部８４２とを有する。
【００４９】
固定枠嵌合部８４１は、円柱形状を有する。固定枠嵌合部８４１は、固定枠６１０の調整ピン嵌合孔６３０に嵌る（図１２Ｂ参照）。また、後枠嵌合部８４２は、後枠８００の後枠本体８２０の調整ピン挿通孔８３５に嵌る（図１２Ｂ参照）。
【００５０】
後枠嵌合部８４２は、固定枠嵌合部８４１の円柱の中心に対して偏芯して設けられ、固定枠嵌合部８４１の直径よりも大きな直径を有する略円柱状の形状を有する。より具体的には、光軸方向から見たときに、略ハート型に近い形状を有する。この形状により、調整ピンを一定角回転させたときに、後枠８００の調整ピン挿通孔８３５を周方向に所定速度で移動させることができる。
【００５１】
図１４は、実施の形態１に係るレンズ鏡筒１の固定枠６１０及び後枠８００における調整ピン８４０が嵌る部分を拡大して模式的に示した図である。
【００５２】
図１２Ａ、図１２Ｂ、図１４に示すように、固定枠６１０の調整ピン嵌合孔６３０は、調整ピン８４０の固定枠嵌合部８４１の円柱とほぼ同じ直径を有する円孔である。より具体的には、調整ピン嵌合孔６３０は、調整ピン８４０が調整ピン嵌合孔６３０内において回転可能な程度に微小量大きな直径を有する。
【００５３】
図８Ａ、図８Ｂ、図１２Ａ、図１２Ｂ、図１４に示すように、後枠８００の調整ピン挿通孔８３５は、径方向に長い略矩形状の形状を有する。調整ピン挿通孔８３５の周方向の長さは、調整ピン８４０の後枠嵌合部８４２の長径方向の長さとほぼ同じ長さを有する。より具体的には、調整ピン挿通孔８３５の周方向の長さは、調整ピン８４０が調整ピン挿通孔８３５内において回転可能な程度に微小量大きな直径を有する。
【００５４】
このような構成によれば、固定ネジ８３０による固定枠６１０への後枠８００の固定を緩和した状態において調整ピン８４０を回転させる。そうすると、調整ピン８４０の後枠嵌合部８４２が偏芯しかつ調整ピン挿通孔８３５の周方向の長さが調整ピン８４０の後枠嵌合部８４２の長径方向の長さとほぼ同じであることにより、調整ピン挿通孔８３５が周方向に移動する、つまり後枠８００が周方向に移動することとなる。したがって、調整ピン８４０を回転させることにより、光軸に垂直な面内での後枠８００の周方向の位置を調整することができる。そして、調整後、固定ネジ８３０により後枠８００を固定枠６１０に固定することにより、調整した位置状態を保持することができる。
【００５５】
従来、後枠８００は固定枠６１０に固定ネジにより固定されているのみであり、固定枠６１０に対する後枠８００の光軸に垂直な面内での位置の調整は困難であった。そのため、ズーム枠７００に形成された指標と、後枠８００に形成された指標の位置がずれていても調整が困難であった。そのため、美観や商品性等の点で改善が望まれていた。しかし、本実施の形態の後枠８００の固定枠６１０への取付構造によると、調整部８５０を設けたことにより、ズーム枠７００に形成された指標７７０と、後枠８００に形成された指標８７０の周方向の位置関係を、調整部８５０により容易にかつ精度よく調整することができる。そのため、美観や商品性が改善される。
【００５６】
なお、本実施の形態では、カメラ鏡筒は、調整ピン８４０を備えている。しかし、調整ピン８４０は、カメラ鏡筒側に備えられなくてもよい。すなわち、調整部８５０において、調整ピン８４０は必須でない。例えば、調整ピン８４０と同形状の先端部を有するドライバ（調整治具）により調整が可能である。すなわち、調整時、調整治具に形成した固定枠嵌合部８４１及び後枠嵌合部８４２を固定枠６１０の調整ピン嵌合孔６３０及び後枠８００の調整ピン挿通孔８３５に挿通し、挿通した状態で回転させることにより、上記と同様の作用、効果が得られる。
［１−３．ズーム枠と、カム枠と、回路基板との位置関係］
ズーム枠７００と、カム枠５００と、回路基板９５０との位置関係について説明する。図１５Ａ、図１５Ｂは、実施の形態１に係るズーム枠７００、カム枠５００、連結ピン７２０、及び回路基板９５０の位置関係を示す図である。図１５Ａは、ズーム枠７００、カム枠５００、及び回路基板９５０を、組み立て後の位置関係を保持した状態で、光軸方向に直行する方向から見た側面図である。図１５Ｂは、ズーム枠７００、カム枠５００、及び回路基板９５０を、組み立て後の位置関係を保持した状態で、光軸方向の斜め後ろ側（撮像素子側）から見た斜視図である。図１６Ａ、図１６Ｂは、実施の形態１に係るズーム枠７００とカム枠５００との位置関係、及び回路基板９５０単品の外観を示す図である。図１６Ａは、ズーム枠７００、及びカム枠５００を組み立てた後の位置関係を保持した状態で、光軸方向の撮像素子側から見た背面図である。図１６Ｂは、回路基板９５０を、光軸方向の撮像素子側から見た背面図である。
【００５７】
図１５Ａ、図１５Ｂ、図１６Ａに示すように、ズーム枠７００の後端部には、後方に突出する突出片７１０が設けられている。カム枠５００の後端部には、後方に突出する突出部５１０が設けられている。また、ズーム枠７００の突出片７１０（支持部）とカム枠５００の突出部５１０とを連結する連結ピン７２０が設けられている。したがって、ズーム枠７００とカム枠５００とは、互いに相対回転不能にかつ光軸方向に進退不能に、連結される。これにより、ズーム枠７００を回転させると、連結ピン７２０を介して回転がカム枠５００に伝達され、カム枠５００がズーム枠７００の回転に連動して回転する。
【００５８】
回路基板９５０は、レンズ鏡筒１の動作を制御するための電子部品等が配置される基板である。
【００５９】
ここで、本実施の形態では、図１５Ａに示すように、連結ピン７２０、ズーム枠７００の突出片７１０、及びカム枠５００の突出部５１０は、光軸方向において回路基板９５０が配置される面と略同一面内に配置される。
【００６０】
また、回路基板９５０は、連結ピン７２０の周方向での回動範囲またはズーム枠７００及びカム枠５００における連結ピン７２０を支持する突出片７１０及び突出部５１０の周方向での回動範囲に重ならないように配置されている。具体的に、図１６Ｂに示すように、回路基板９５０は、円環の一部を切り欠いた略Ｃ字状の形状を有する。
【００６１】
回路基板９５０は、図１７Ａ、図１７Ｂ、図１８Ａ、図１８Ｂ、図１９Ａ、図１９Ｂに示されるように、固定枠６１０の後端部に固定される。図１７Ａ、図１７Ｂは、実施の形態１に係るズーム枠７００、カム枠５００、連結ピン７２０、及び回路基板９５０の、沈胴状態における位置関係を示す図である。図１８Ａ、図１８Ｂは、実施の形態１に係るズーム枠７００、カム枠５００、連結ピン７２０、及び回路基板９５０の、ワイド状態（広角）における位置関係を示す図である。図１９Ａ、図１９Ｂは、実施の形態１に係るズーム枠７００、カム枠５００、連結ピン７２０、及び回路基板９５０の、テレ状態（望遠）における位置関係を示す図である。図１７Ａ、図１８Ａ、図１９Ａは、レンズ鏡筒１を、レンズマウント９００及び後枠８００を取り外した状態で光軸方向斜め後側（撮像素子側）から見た斜視図である。図１７Ｂ、図１８Ｂ、図１９Ｂは、レンズ鏡筒１を、レンズマウント９００及び後枠８００を取り外した状態で光軸方向撮像素子側から見た背面図である。
【００６２】
図１７Ａ、図１７Ｂ、図１８Ａ、図１８Ｂ、図１９Ａ、図１９Ｂに示されるように、沈胴状態と、ワイド状態と、テレ状態とでは、ズーム枠７００の突出片７１０、カム枠５００の突出部５１０、及び連結ピン７２０と、回路基板９５０との位置関係は、ズーム状態に応じて周方向において変化する。しかし、いずれの状態においても、ズーム枠７００の突出片７１０、カム枠５００の突出部５１０、及び連結ピン７２０と、回路基板９５０とは当接しない。また、ズーム枠７００の突出片７１０、カム枠５００の突出部５１０、及び連結ピン７２０と、回路基板９５０との光軸方向における位置関係も変化しない。
【００６３】
従来においては、回路基板は例えば円環状に形成されており、そのため、ズーム枠の突出片７１０、カム枠の突出部５１０、及び連結ピン７２０は、回路基板との当接を避けるために、光軸方向において回路基板よりも被写体側に配置されていた。そのため、カム枠やズーム枠、ひいてはカム枠やズーム枠の被写体側に配置される部品が、回路基板が取り付けられる固定枠６１０の後端を基準として、被写体側に配置されることとなる。本実施の形態によれば、回路基板が取り付けられる固定枠６１０の後端を基準として、各部品を被写体側に配置する必要がなくなり、ズーム枠７００の突出片７１０、カム枠５００の突出部５１０、及び連結ピン７２０と、回路基板９５０とが光軸方向において略同一面内に配置されるので、レンズ鏡筒１の光軸方向の長さを短くすることができる。つまり、レンズ鏡筒１を小型化することができる。
［２．効果等］
本実施の形態のレンズ鏡筒１は、
カメラ本体に取り付け可能なレンズ鏡筒１であって、
カメラ本体と機械的／電気的に接続するレンズマウント９００（マウント）と、
レンズマウント９００に固定される固定枠６１０と、
固定枠６１０を外周側において覆う後枠８００と、を備える。
【００６４】
後枠８００は、円筒部８１１、８２１と、円筒部８１１、８２１の光軸方向被写体側の前端と光軸方向撮像素子側の後端との少なくとも一方から径方向内側に延びるフランジ部８１２、８２３とを有し、
フランジ部８１２、８２３の径方向内側の端部の少なくとも一部が固定枠６１０に当接する。
【００６５】
本実施の形態のレンズ鏡筒１において、後枠８００は、円筒部８１１の前端と後端との少なく一方から径方向内側に延びるフランジ部８１２、８２３を有している。そのため、後枠８００の径方向の強度が向上する。さらに、フランジ部８１２、８２３の径方向内側の端部の少なくとも一部が固定枠６１０に当接する。したがって、後枠８００に径方向内側の力が加わった場合でも、後枠８００の変形が抑制される。
【００６６】
本実施の形態のレンズ鏡筒１は、
後枠８００を固定枠６１０に固定するための固定ネジ８３０（固定部材）と、
固定ネジ８３０による固定を緩和した状態において、光軸に垂直な面内での後枠８００の位置を調整するための調整部８５０と、をさらに備える。
【００６７】
これにより、後枠８００と固定枠６１０との光軸に垂直な面内での位置関係を調整することができる。
（付記）
本実施の形態は以下のようなレンズ鏡筒の構成も開示している。
【００６８】
本実施の形態のレンズ鏡筒１は、
カメラ本体に取り付け可能なレンズ鏡筒１であって、
カメラ本体と機械的／電気的に接続するレンズマウント９００（マウント）と、
レンズマウント９００に固定される固定枠６１０と、
固定枠６１０の光軸方向後端に結合される回路基板９５０と、
固定枠６１０の径方向内側に配置される。
【００６９】
加えて、固定枠６１０に、固定枠６１０に対して相対回転可能にかつ光軸方向に進退不能に支持されるカム枠５００と、
固定枠６１０の外周側に配置されるズーム枠７００と、
ズーム枠７００とカム枠５００とを、互いに相対回転不能にかつ光軸方向に進退不能に、ズーム枠７００及びカム枠５００の後端部側で連結する連結ピン７２０と、を備える。
【００７０】
回路基板９５０は、連結ピン７２０の周方向での回動範囲またはズーム枠７００及びカム枠５００における連結ピン７２０を支持する突出片７１０及び突出部５１０（部分）の周方向での回動範囲に重ならないように形成される。
【００７１】
連結ピン７２０、またはズーム枠７００及びカム枠５００における連結ピン７２０を支持する突出片７１０及び突出部５１０が、光軸方向において回路基板９５０が配置される面（位置）と略同一面内（同じ位置）に配置されている。
【００７２】
これにより、ズーム枠７００の突出片７１０、カム枠５００の突出部５１０、及び連結ピン７２０と、回路基板９５０とが光軸方向において同じ位置に配置されるので、レンズ鏡筒１の光軸方向の長さを短くすることができる。つまり、レンズ鏡筒１を小型化することができる。
【００７３】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００７４】
実施の形態１では、後枠８００は、後枠カバー８１０と後枠本体８２０で構成されている。しかしながら、後枠８００は、１個の部材、あるいは３個以上の部材で構成されていてもよい。
【００７５】
また、実施の形態１では、後枠８００のフランジ部８１２とフランジ部８２３との両方が固定枠６１０に当接している。しかし、本開示において、後枠カバー８１０のフランジ部８１２のみを固定枠６１０に当接させてもよいし、後枠本体８２０のフランジ部８２３のみを固定枠６１０に当接させてもよい。
【００７６】
また、実施の形態１では、固定枠６１０に調整ピン嵌合孔６３０が設けられ、後枠８００に調整ピン挿通孔８３５が設けられているが、固定枠６１０に調整ピン挿通孔を設け、後枠８００に調整ピン嵌合孔６３０が設け、調整ピンを光軸方向の前後の端部を実施の形態１とは逆にして装着してもよい。
【００７７】
また、実施の形態１では、固定部材として固定ネジ８３０を利用したが、固定状態を緩和できる部材であればネジでなくてもよい。例えば、固定状態を緩和可能なピン等でもよい。
【００７８】
また、実施の形態１では、レンズ鏡筒が一眼カメラに取り付けられる交換式のレンズ鏡筒である。しかしながら、本実施の形態の技術は、レンズ鏡筒がカメラ本体に一体的に取り付けられた非交換式のレンズ鏡筒に対しても適用可能である。この場合、固定枠はレンズマウントでなく、カメラ本体の筐体等に固定される。後枠は、ズーム枠とカメラ本体との間において、固定枠を外周側において覆う。このような構成において、後枠は、円筒部と、円筒部の前端と後端との少なく一方から径方向内側に延びるフランジ部とを有し、フランジ部の径方向内側の端部の少なくとも一部が固定枠に当接する。あるいは、連結ピン、またはズーム枠及びカム枠における連結ピンを支持する部分が、光軸方向において基板が配置される位置と同じ位置に配置される。
【００７９】
以上のように、本開示における技術の例示として、実施の形態を説明した。そのために、添付図面および詳細な説明を提供した。
【００８０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８１】
また、上述の実施の形態は、本開示における技術を例示するためのものであるから、特許請求の範囲またはその均等の範囲において種々の変更、置き換え、付加、省略などを行うことができる。
【産業上の利用可能性】
【００８２】
本開示のレンズ鏡筒は、内部にレンズを収容するレンズ鏡筒に広く適用可能である。
【符号の説明】
【００８３】
１  レンズ鏡筒
１００  １群ユニット
２００  ２群ユニット
３００  ３〜５群ユニット
４００  ６群ユニット
５００  カム枠
５０１、５０２カム溝
５１０  突出部
６００  固定枠ユニット
６０１  フォーカスリング
６１０  固定枠
６３０  調整ピン嵌合孔
７００  ズーム枠
７０１  ズームリング
７１０  突出片
７２０  連結ピン
７７０  指標
８００  後枠
８１０  後枠カバー
８１１  円筒部
８１２  フランジ部
８２０  後枠本体
８２１  円筒部
８２２  フランジ部
８２３  フランジ部
８２３ａ  突起
８２５  取付部
８２６  貫通孔
８３０  固定ネジ
８３５  調整ピン挿通孔
８４０  調整ピン
８４１  固定枠嵌合部
８４２  後枠嵌合部
８５０  調整部
８７０  指標
９００  レンズマウント
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
【図１】
0006507369.tif 000002
【図２】
0006507369.tif 000003
【図３Ａ】
0006507369.tif 000004
【図３Ｂ】
0006507369.tif 000005
【図３Ｃ】
0006507369.tif 000006
【図４Ａ】
0006507369.tif 000007
【図４Ｂ】
0006507369.tif 000008
【図５Ａ】
0006507369.tif 000009
【図５Ｂ】
0006507369.tif 000010
【図５Ｃ】
0006507369.tif 000011
【図６Ａ】
0006507369.tif 000012
【図６Ｂ】
0006507369.tif 000013
【図７Ａ】
0006507369.tif 000014
【図７Ｂ】
0006507369.tif 000015
【図８Ａ】
0006507369.tif 000016
【図８Ｂ】
0006507369.tif 000017
【図９Ａ】
0006507369.tif 000018
【図９Ｂ】
0006507369.tif 000019
【図１０Ａ】
0006507369.tif 000020
【図１０Ｂ】
0006507369.tif 000021
【図１１Ａ】
0006507369.tif 000022
【図１１Ｂ】
0006507369.tif 000023
【図１２Ａ】
0006507369.tif 000024
【図１２Ｂ】
0006507369.tif 000025
【図１３Ａ】
0006507369.tif 000026
【図１３Ｂ】
0006507369.tif 000027
【図１４】
0006507369.tif 000028
【図１５Ａ】
0006507369.tif 000029
【図１５Ｂ】
0006507369.tif 000030
【図１６Ａ】
0006507369.tif 000031
【図１６Ｂ】
0006507369.tif 000032
【図１７Ａ】
0006507369.tif 000033
【図１７Ｂ】
0006507369.tif 000034
【図１８Ａ】
0006507369.tif 000035
【図１８Ｂ】
0006507369.tif 000036
【図１９Ａ】
0006507369.tif 000037
【図１９Ｂ】
0006507369.tif 000038